(57)【特許請求の範囲】
【請求項１】
ドア１の出入口前壁２の内壁面に取付けられた受け金具Ｙと対向するように、ドア１の内壁面１ａに取付けられるドア錠Ｘであって、前記ドア錠Ｘは、固定部材１０の軸受け板１３の中央部に軸架された固定軸４１と、この固定軸４１を中心に固定部材１０に対して左右に揺動するように該固定軸４１に中央部が軸支されたケース型状揺動部材３５と、操作する者を基準として、操作外壁面３６の左右の部位が指で選択的に押圧される揺動部材３５用の窓部２８を有し、かつ前記固定部材１０をカバー状態に収納する収納ボックス２５と、この収納ボックス２５の案内孔２９を介して外端部側から進退動し、かつ、収納ボックス２５内に常時収納された内端部に係合部３０を有するデッドプレート２６と、このデッドプレート２６と揺動部材３５とに介在する状態で前記軸受け板１３の一端部に棒状肩部４４の中央部が枢軸４２を介して軸支されていると共に、該棒状肩部４４の一端部が揺動部材３５の一端部に形成された枢支部３９に軸支され、かつ該棒状肩部４４の中央部から交差方向に延びる駆動腕４５が前記係合部３０に常時係合する前記枢軸４２を備えた駆動部材４３とから成ることを特徴とするドア錠。
【請求項２】
請求項１に於いて、駆動部材４３の棒状肩部４４の一端部には、揺動部材４３の枢支部３９に入込む駆動ピン４６が突設され、一方、その他端部にはバネ端取付け用の突起４７が設けられ、前記突起４７と固定軸４１には、駆動部材４３と共働するように開きバネ５０の各端部がそれぞれ取付けられていることを特徴とするドア錠。
【発明の詳細な説明】
【０００１】
【発明の属する技術分野】
本発明は、ドア錠に関し、不特定多数の人が利用する駅、公園等の公衆トイレのドアの錠に適合する。
【０００２】
【従来の技術】
公衆トイレのドア錠６０は、図５で示すようにドアａの内壁面の側端部に水平状態に取付けられている。このドア錠６０は、基本的には内壁面に固着具を介して固定されたガイド部材６１と、このガイド部材６１の端面Ｔ字型のカイド部６２にスライド係合し、かつ、ドアａと合致する出入口前壁ｂの内壁面に取付けられたＬ型受け金具６３の受け部６４と係脱する端面リップミゾ形のデッドプレート６５とから成る。
【０００３】
上記構成のドア錠６０にあっては、デッドプレート６５を指で直接又は摘みを介して間接的に掴み、施錠並びに解錠方向へと引かなければならない。ところで、近年、バリヤ・フリーの思想が発達するにしたがって、不特定多数の人が利用するドア錠も、身体障害者や高齢者に優しい（日常生活で不便さを感じない意味）装置であることが望まれている。
【０００４】
【発明が解決しようとする課題】
本発明は以上のような従来の要望点に鑑み、第１の目的は特に身体障害者や高齢者に優しいドア錠を提供することである。第２の目的はワンタッチ操作でデッドプレートの施錠及び解錠ができることである。第３の目的は各部材を合理的に組み立てることができることである。
【０００５】
【課題を解決するための手段】
本発明のドア錠は、ドア１の出入口前壁２の内壁面に取付けられた受け金具Ｙと対向するように、ドア１の内壁面１ａに取付けられるドア錠Ｘであって、前記ドア錠Ｘは、固定部材１０の軸受け板１３の中央部に軸架された固定軸４１と、この固定軸４１を中心に固定部材１０に対して左右に揺動するように該固定軸４１に中央部が軸支されたケース型状揺動部材３５と、操作する者を基準として、操作外壁面３６の左右の部位が指で選択的に押圧される揺動部材３５用の窓部２８を有し、かつ前記固定部材１０をカバー状態に収納する収納ボックス２５と、この収納ボックス２５の案内孔２９を介して外端部側から進退動し、かつ、収納ボックス２５内に常時収納された内端部に係合部３０を有するデッドプレート２６と、このデッドプレート２６と揺動部材３５とに介在する状態で前記軸受け板１３の一端部に棒状肩部４４の中央部が枢軸４２を介して軸支されていると共に、該棒状肩部４４の一端部が揺動部材３５の一端部に形成された枢支部３９に軸支され、かつ該棒状肩部４４の中央部から交差方向に延びる駆動腕４５が前記係合部３０に常時係合する前記枢軸４２を備えた駆動部材４３とから成ることを特徴とする。
【０００６】
【発明の実施の形態】
図１は、駅、公園等の公衆トイレのドアに取付けた実施形態の一例を示す。ここで、実施形態の環境を説明すると、Ｘは公衆トイレのドア１の内壁面１ａの側端部に水平状態に取付けられたドア錠である。一方、Ｙは前記ドア１と合致する出入口前壁２の内壁面に取付けられた受け金具である。
【０００７】
まず、受け金具Ｙについて説明する。図１及び図３で示すように受け金具Ｙは端面Ｌ型に形成され、複数個のビス３用の挿通孔４を有する取付部５と、この取付部５と直交方向に連設し、かつ、ドア錠Ｘのデッドプレートが係脱する受孔６を有する受け部７とから成る。なお、受け金具Ｙとドア錠Ｘは、周知のように公衆トイレの内壁面に対向状態に固定される。
【０００８】
次にドア錠Ｘを構成する各部材について説明する。１０はドア１の内壁面１ａにビス１１を介して固定される固定部材である。この固定部材１０の形態は特に問わないが、本実施例では図２で示すように、内壁面１ａに直接固着される断面コ字型の取付けベース板１２と、この取付けベース板１２の内壁面に固定された軸受け板１３とから成る。軸受け板１３は取付けベース板１２よりも長さ方向の寸法が短く、取付けベース板１２に固定されると、左右（図２を基準にすると左右）に間隙１４が形成される。
【０００９】
ここで、図２を基準に前記取付けベース板１２を説明する。１５は複数個のビス１１用の挿通孔１６を有する取付けベース部で、この取付けベース部１５がビス１１を介してドア１の内壁面１ａに固定される。したがって、取付けベース部１５は、ドア１に取付けられた状態では水平の垂直壁ということになる（図１参照）。１７は取付けベース部１５に連なって直角方向に折曲げ形成された左右の端板部で、これらの端板部１７の一つ（右側の端板部）には、前述した受け金具Ｙの方形受孔６と符合する方形貫通孔１８が形成されている。
【００１０】
図２及び図３を参照に前記軸受け板１３を説明する。１９は取付けベース板１２の前記取付けベース部１５の内壁面に固定された垂直壁である。２０はこの垂直壁１９に連なって直角方向に折曲げ形成された上下の水平側壁（図３では垂直に見える）で、これらの水平側壁２０，２０には、複数個の軸孔２１が形成されている。また、水平側壁２０，２０は、図２で示すように、取付けベース板１２の左右の端板部１７，１７から突出している。このように構成すると、各部材（枢軸、揺動部材等）を容易に取付けることができる。
【００１１】
次に収納ボックス２５とデッドプレート２６について説明する。収納ボックス２５は、図３で示すように一側壁が方形状開口２７のボックスである。収納ボックス２５は表面に揺動部材用の方形状窓部２８を有すると共に、一側壁（図２を基準にすると右側壁）に前述した端板部１７の方形貫通孔１８や受け金具Ｙの方形受孔６符合する方形案内孔２９が形成されている。
【００１２】
この収納ボックス２５は、図２で示すように固定部材１０を収納状態にカバーするのみならず、前記方形案内孔２９を介し、デッドプレート２６を進退動自在に収納している。デッドプレート２６は、収納ボックス２５に常時収納された内端部に係合孔３０を有し、また外端部側は、取付けベース板１２の貫通孔１８を形成する縁部又は／及び収納ボックス２５の案内孔２９を形成する縁部に支持されている。
【００１３】
次に操作プレートとしての揺動部材３５について説明する。揺動部材３５は、図３で示すように一側（裏側）開放状のボックス型タッチプレート板である。
【００１４】
しかして、３６は表面に相当する操作外壁面（図３では下方に現れる面）で、この操作外壁面３６は、普通一般に弧状に形成されているが、本実施例では中央部を基準として角度が大きい鈍角の傾斜面となっている。３７は操作外壁面３６に連なる上下の対向側壁で、これらの対向側壁３７の中央部には、それぞれ突片状の軸受け部３８が形成されている。３９は対向側壁３７の一つ、本実施例では上方の対向側壁の一端部に、前記軸受け部３８と同様に突片状に形成された枢支部である。なお、前述した左右対称の傾斜状操作外壁面３６には、開閉の文字、突起など開閉を意味する標識が適宜に付されている。
【００１５】
次に揺動部材３５とデッドプレート２６に関わり合うその他の部材について説明する。
【００１６】
４１は揺動部材３５の中央部の軸受け部３８を貫通し、かつ、固定部材１０の軸受け板１３に軸架された固定軸である。揺動部材３５はこの固定軸４１を中心にして左右に揺動する。一方、４２は前記軸受け板１３の上下の水平側壁２０に軸架された枢軸で、この枢軸４２にはＴ字型状の駆動部材４３の棒状肩部４４の中央部が軸支されている。したがって、駆動部材４３は枢軸４２に揺動可能に設けられている。
【００１７】
前記駆動部材４３は、棒状肩部４４と、この棒状肩部４４の中央部から角度方向（交差方向）に延び、かつ、デッドプレート２６の係合孔３０に常時係合する駆動腕４５とから成る。しかして、前記棒状肩部４４の一端部（左端部）には、揺動部材４３の枢支部３９に入込む駆動ピン４６が突設され、一方、その他端部（右端部）には、バネ用突起４７が設けられている。
【００１８】
５０は駆動部材４３と共働するように一端部がバネ端取付け用突起４７に取付けられ、一方、他端部は前述した固定軸に取付けられた山形状の可動バネである。この可動バネ５０はバネ力が開く方向に作用する開きバネの一種（通称、「メガネバネ」と言われ、クリックバネの機能を有する）である。可動バネ５０は、その各端部が駆動部材４３の前記突起４７と収納ボックス２５に軸架された固定軸４１に、駆動部材４３と共働するようにそれぞれ取付けられている。付言すると、開きバネ５０は、駆動部材４３の揺動により、その中心部５０ａの位置が、枢軸４２を基準にして変位する。
【００１９】
次に図２（施錠状態）及び図４（解錠状態）を参照にデッドプレート２６の係脱状態を説明する。図２は揺動部材３５の操作外壁面３６の左側を指で押圧した場合に於いて、揺動部材３５が固定軸４１を支点に時計方向へと揺動し、その結果、デッドプレート２６が駆動部材４３を介して収納ボックス２５から進出し、受け金具Ｙの受孔６に係合した状態を示している。この場合前記Ｔ字型駆動部材４３の駆動ピン４６は、枢軸４２を支点に揺動部材３５と同方向に回転する。つまり、駆動部材４３も時計方向へ回転する。揺動部材３５及び駆動部材４３がこのように時計方向へ回転すると、デッドプレート２６は駆動部材４３の駆動腕４５に押し出される。この駆動部材４３の回転途中に於いて、可動バネ５０は、そのバネ力に抗して一旦は内側に変位するものの、駆動部材４３が所定の位置まで回転すると、開く状態へと復帰する。したがって、駆動部材４３は、枢軸４２を基準にすると、可動バネ５０のバネ力により時計方向に付勢されている。そのため、揺動部材３５は駆動部材４３を介して自由に揺動しないように可動バネ５０のバネ力で規制されている。
【００２０】
一方、図４は、操作する者を基準として、揺動部材３５の操作外壁面３６の右側を指で押圧した場合に於いて、揺動部材３５が固定軸４１を支点に反時計方向へと揺動し、その結果、デッドプレート２６が駆動部材４３を介して収納ボックス２５内へと後退し、受け金具Ｙの受孔７から離れた状態を示している。この場合前記Ｔ字型駆動部材４３の駆動ピン４６は、枢軸４２を支点に揺動部材３５と同方向に回転する。つまり、駆動部材４３も反時計方向へ回転する。揺動部材３５及び駆動部材４３がこのように反時計方向へ回転すると、デッドプレート２６は駆動部材４３の駆動腕４５に押し戻される。この駆動部材４３の回転途中に於いて、可動バネ５０は、そのバネ力に抗して一旦は内側に変位するものの、駆動部材４３が所定の位置まで回転すると、開く状態へと復帰する。したがって、駆動部材４３は、枢軸４２を基準にすると、可動バネ５０のバネ力により反時計方向に付勢されている。そのため、揺動部材３５は駆動部材４３を介して自由に揺動しないように可動バネ５０のバネ力で規制されている。なお、揺動部材３５が可動バネ５０のバネ力に抗して回転すると、「クリック感」が得られる。また、可動バネ５０の中心部５０ａの位置は変位している。
【００２１】
【実施例】
ボックス型揺動部材３５の表面に相当する外壁面３６は、鈍角形状（断面山形形状）であるが、対称的なタッチ面であれば、弧状であっても良い。また可動バネ５０の他端部は固定軸４１に取付けられているが、揺動部材３５に直接取付けても良い。さらに、デッドプレート２６は、長板状であるが、長棒に設計変更しても良い。この場合には、収納ボックス２５の案内孔２９等は円形に形成される。
【００２２】
【発明の効果】
以上の説明から明らかなように、本発明にあっては、次に列挙するような効果がある。
（１）特に身体障害者や高齢者に優しいドア錠を提供することができる。
（２）デッドプレートの施錠及び解錠をワンタッチ操作で行える。
（３）駆動部材と共働する可動バネを備えているので、「クリック感」を出すことができると同時に、所定の位置まで回転した揺動部材をバネ力で規制することができる。
（４）各部材を合理的に組み立てることができる。
【図面の簡単な説明】
図１乃至図４は本発明の一実施例を示す各説明図。
【図１】発明の実施形態の一例を示す斜視図。
【図２】概略断面説明図（施錠状態）。
【図３】固定部材側から見た分解斜視図。
【図４】概略断面説明図（解錠状態）。
【図５】従来の一例を示す概略説明図。
【符号の説明】
Ｘ…ドア錠、Ｙ…受け金具、６…受孔、７…受け部、１０…固定部材、１２…取付けベース板、１３…軸受け板、１５…取付けベース部、１７…端板部、１９…垂直壁、２０…水平側壁、２５…収納ボックス、２６…デッドプレート、３０…係合部（係合孔）、３５…揺動部材、３６…操作外壁面、３７…対向側壁、３８…軸受け部、３９…枢支部、４１…固定軸、４２…枢軸、４３…駆動部材、４４…棒状肩部、４５…駆動腕、４６…駆動ピン、４７…ハネ用突起、５０…可動バネ。
【図１】
0004199884.tif 000002
【図２】
0004199884.tif 000003
【図３】
0004199884.tif 000004
【図４】
0004199884.tif 000005
【図５】
0004199884.tif 000006